(57)【要約】    乗り物における食品の調製及び貯蔵のために使用されるモジュール組み込み式ギャレーは、複数の開口部又は空間を画成する搭載ラックを含んでおり、搭載ラックは、複数の個別のギャレーモジュールを受け入れるための空間内に配置された複数の構造上の取付位置を有している。各ギャレーモジュールは、上面壁、底面壁、前面壁、後面壁及び側面壁を有する概ね箱形の外殻を備えている。ギャレーモジュールの少なくとも２つは外殻内に収容される異なる機能的構成要素を有しており、この機能的構成要素は飲料メーカー、水供給ユニット、オーブン、冷蔵庫及び貯蔵室の中から少なくとも１つ以上選択される。モジュール組み込み式ギャレーは更に、隣接するギャレーモジュールを相互接続する手段を含んでおり、この手段は、隣接するギャレーモジュール上の相補形のリブを受け入れるために外周に沿って形成された少なくとも２つの溝を有する外周を画成する長形の接続レールを含む。【選択図】図１
2010511552.tif 000002
【特許請求の範囲】
【請求項１】
乗り物用モジュール組み込み式ギャレーであって、
複数の空間を画成する搭載ラックと、
複数の個別のギャレーモジュールであって、複数の個別の前記ギャレーモジュールのそれぞれは前記搭載ラックに搭載されるように構成されており、かつ、前記複数の空間の１つにそれぞれ収容されており、複数の個別の前記ギャレーモジュールのうち少なくとも２つが異なる構造である複数の個別のギャレーモジュールと、
複数の個別の前記ギャレーモジュールと、前記ギャレーモジュールと隣接する複数のギャレーモジュールとを相互接続するように形状が決められている少なくとも１つの接続レールと、
を備える乗り物用モジュール組み込み式ギャレー。
【請求項２】
前記搭載ラックは複数の構造上の取付箇所を備えており、
複数の個別の前記ギャレーモジュールは複数の個別の前記ギャレーモジュールと前記搭載ラックとの間の構造上の接続を成すために相補形の取付部材を備える請求項１に記載のモジュール組み込み式ギャレー。
【請求項３】
前記取付部材は、ボルト、フック、ブラケット、ラッチ及びネジからなる群より少なくとも１つ以上選択される請求項２に記載のモジュール組み込み式ギャレー。
【請求項４】
前記搭載ラックは、前記複数の空間の少なくとも１つに配置されたクイック接続式取付具を有する少なくとも１つの乗り物用多目的接続部を備えており、複数の個別の前記ギャレーモジュールの少なくとも１つは、前記乗り物用多目的接続部と複数の個別の前記ギャレーモジュールとの間の接続を成すために相補形の前記クイック接続式取付具を備える請求項１に記載のモジュール組み込み式ギャレー。
【請求項５】
前記乗り物用多目的接続部の少なくとも１つは、電源コネクタ、飲料水給水コネクタ及び排水ドレンからなる群より少なくとも１つ以上選択される請求項４に記載のモジュール組み込み式ギャレー。
【請求項６】
複数の個別の前記ギャレーモジュールは、飲料メーカー、水供給ユニット、オーブン、冷蔵庫及び貯蔵するための仕切られた区画からなる群より少なくとも１つ以上選択される請求項１に記載のモジュール組み込み式ギャレー。
【請求項７】
複数の個別の前記ギャレーモジュールの少なくとも１つは、取り外し可能な仕切られた区画を備えている請求項１に記載のモジュール組み込み式ギャレー。
【請求項８】
前記接続レールは、外周に沿って形成された少なくとも２つの溝を有しており、複数の個別の前記ギャレーモジュールの少なくとも２つは、前記ギャレーモジュールと隣接する複数のギャレーモジュールに相互接続するために前記接続レールの外周の対応する溝内に受け入れられる相補形のリブを有する請求項１に記載のモジュール組み込み式ギャレー。
【請求項９】
前記接続レールの外周に形成された前記複数の溝と、複数の個別の前記ギャレーモジュール上の前記相補形のリブとは、互いにあり継ぎ形状である請求項８に記載のモジュール組み込み式ギャレー。
【請求項１０】
複数の個別の前記ギャレーモジュールのそれぞれは、上面壁、底面壁、前面壁、後面壁及び側面壁を有し、箱形の外殻を備える請求項１に記載のモジュール組み込み式ギャレー。
【請求項１１】
乗り物用ギャレーユニットであって、
複数の空間と、前記複数の空間に配置された複数の構造上の取付箇所を有する搭載ラックと、
複数のギャレーモジュールであって、複数の前記ギャレーモジュールのそれぞれは、上面壁、底面壁、前面壁、後面壁及び側面壁を有し、箱形の外殻を備えており、かつ、複数の空間の１つに収容されると共に前記搭載ラックの構造上の取付箇所の少なくとも１つに装着されるようになされており、複数の前記ギャレーモジュールの少なくとも２つは外殻内に収容される異なる機能的構成要素を有する複数のギャレーモジュールと、
複数の前記ギャレーモジュールと、前記ギャレーモジュールと隣接する複数のギャレーモジュールとを相互接続する手段であって、隣接する複数の前記ギャレーモジュール上の相補形のリブを受け入れるために外周に沿って形成されており、少なくとも２つの溝を有する外周を画成する細長い接続レールを備えた手段と、
を備える乗り物用ギャレーユニット。
【発明の詳細な説明】
【技術分野】
【０００１】
本発明は、乗り物用の室内設備に関して、より詳細には、乗り物内での食品の調製及び貯蔵に使用されるギャレーユニットに関する。
【背景技術】
【０００２】
多くの乗り物（例えば電車、バス、航空機）には、食品を調製及び貯蔵するために１又は複数のギャレーユニットが含まれる。これらの複数のギャレーユニットは、食品の貯蔵、冷蔵、加熱及び液体処理といったいくつかの異なる機能を提供する。
【発明の概要】
【発明が解決しようとする課題】
【０００３】
各ギャレーユニットに含まれる装置の型及び量は乗り物の大きさ及び構成に応じて変化する。このように特別なギャレーユニットを各々の乗り物のために構成しなくてはならず、結果として時間、労力、費用を増大させる。
【０００４】
従って、乗り物内で食品の調製及び貯蔵のために使用されるギャレーユニットの中でも、様々な構成において容易に作ることができるギャレーユニットのニーズがある。上記のニーズは、複数の個別のギャレーモジュールから組み立てられるモジュール組み込み式ギャレーを提供する本発明によって満たされる。
【課題を解決するための手段】
【０００５】
一態様において、本発明は、複数の空間を画成する搭載ラックと、複数の個別のギャレーモジュールとを有する、乗り物用モジュール組み込み式ギャレーを提供する。
【０００６】
複数のギャレーモジュールのそれぞれは、搭載ラックに搭載されかつ複数の空間の１つに収容されるようになされている。複数のギャレーモジュールのうち少なくとも２つが、飲料メーカー、水供給ユニット、オーブン、冷蔵庫及び貯蔵室からなる群より少なくとも１つ以上選択される異なる構成を有している。モジュール組み込み式ギャレーは更に、隣接するギャレーモジュールを相互接続するように構成された少なくとも１つの接続レールを含んでいる。搭載ラックは複数の構造上の取付箇所を備えており、ギャレーモジュールのそれぞれはギャレーモジュールと搭載ラックとの間の構造上の接続を成すために相補形の取付部材を備えている。
【０００７】
別の態様において、モジュール組み込み式ギャレーの搭載ラックは、空間の少なくとも１つに配置されたクイック接続式取付具を有する少なくとも１つの乗り物用多目的接続部を備えており、ギャレーモジュールの少なくとも１つは、乗り物用多目的接続部とギャレーモジュールとの間の接続を成すために相補形のクイック接続式取付具を備えている。少なくとも１つの乗り物用多目的接続部は、電源コネクタ、飲料水給水コネクタ及び排水ドレンの中から少なくとも１つ以上選択される。
【０００８】
更に別の態様において、本発明は、複数の空間を画成しており、この空間に配置された複数の構造上の取付箇所を有する搭載ラックを含む乗り物用ギャレーユニットを提供する。このギャレーユニットは更に、複数のギャレーモジュールを含んでおり、各ギャレーモジュールは、上面壁、底面壁、前面壁、後面壁及び側面壁を有する概ね箱形の外殻を備えている。ギャレーモジュールのそれぞれは空間の１つに収容されかつ搭載ラックの構造上の取付箇所の少なくとも１つに装着されるようになされている。ギャレーモジュールの少なくとも２つは外殻内に収容される異なる機能的構成要素を有している。ギャレーユニットは更に、外周を画成する少なくとも１つの細長い接続レールからなる、隣接するギャレーモジュールを相互接続する手段を含む。少なくとも２つの溝が、隣接するギャレーモジュール上の相補形のリブを受け入れるために外周に沿って形成されている。
【０００９】
図面（様々な図を通して同一の符号は同一の要素を示している）を具体的に参照すると、乗り物内での食品調製用及び貯蔵用に使用されるギャレーユニットであって、かつ本発明によって構成された例示的なギャレーユニット１０が図１に例示されている。ギャレーユニット１０の基本構成部品は、直立した構造支持体もしくは搭載ラック１２ならびに複数の個別のギャレーモジュール１４である。複数の個別のギャレーモジュール１４を備えるギャレーユニット１０は、本明細書中では「モジュール組み込み式ギャレー」としても参照される。  
【００１０】
搭載ラック１２は自立型構造体であってもよく、又は乗り物の一部（隔壁（図示せず）など）に一体化されてもよい。図２は、搭載ラック１２の正面を示している。搭載ラック１２の正面１１にはギャレーモジュール１４を受け入れるための開口又は空間１６が含まれる。図の例において、上部空間１６Ａは、雌ネジ付きの挿入部等といった構造上の取付箇所１８を含んでおり、ギャレーモジュール１４に備えられた相補形のボルト（図示せず）を受け入れるように構成されている。ボルト以外のフック、ブラケット、ラッチ又は留め具も、ギャレーモジュール１４と搭載ラック１２と間の構造上の接続を成すために使用することができる。下部空間１６Ｂは、同様の構造上の取付箇所１８と、電源コネクタ２２、飲料水給水コネクタ２４及び排水ドレン２４といった乗り物用多目的接続部２０とを含む。乗り物用多目的接続部２０は、ギャレーモジュール１４が搭載ラック１２に押し込まれるときにギャレーモジュール１４に備えられた相補形の取付具に嵌合する周知の型のクイック接続式取付具で構成される。空間１６の大きさ及び配置ならびに乗り物用多目的接続部２０を含む空間１６Ｂの選択及び配置は、特定のニーズ又は用途に合うように変化してもよい。
【発明の効果】
【００１１】
ギャレーユニット１０は、ギャレーモジュール１４の所望の組合せを搭載ラック１２に取付け、接続レール３２を使用して隣接するギャレーモジュール１４を相互接続することによって作られる（又は組み立てられる）。個別のギャレーモジュール１４の型及び大きさの選択は、特定の乗り物において望まれるように又は必要とされるように選択することができ、搭載ラックに備えられた乗り物用多目的接続部２０を再構成する必要なしに異なる機能モジュールを単体の搭載ラック１２において使用することができる。従って、本発明によって構成された複数の個別のギャレーモジュール１４から組み立てられたモジュール組み込み式ギャレーは、特別注文によるギャレーユニット１０の経済的な構成を可能にする。
【００１２】
モジュール組み込み式ギャレー又はギャレーユニットを以上に記した。本発明の様々な細部を、その範囲から逸脱することなく変更することができる。更に、本発明の好ましい実施例及び本発明を実施するための最良の形態は、例示の目的のみのために示されており、限定の目的ではない。
【図面の簡単な説明】
【００１３】
【図１】本発明の一態様による複数の個別のギャレーモジュールから組み立てられたモジュール組み込み式ギャレーの斜視図である。
【図２】図１のモジュール組み込み式ギャレーの搭載ラックの正面図である。
【図３】図１のモジュール組み込み式ギャレーと共に使用する連結レールの端面図である。
【図４】図３の線４−４方向から見た連結レールの側面図である。
【図５】図３の連結レールに取付られる複数の個別のギャレーモジュールの部分的な正面図である。
【発明を実施するための形態】
【実施例】
【００１４】
図１を再び参照すると、各モジュール１４は、上面壁、底面壁、正面壁、後面壁、側面壁を備える概ね箱形の外殻２８を供える。後面壁は、外殻２８を構造上の取付箇所１８に取付けるように構成されるフック、ブラケット、ラッチ、留め具又は他の取付構造体（図示せず）を含んでいる。本明細書に記載されるように、モジュール１４は断面が概ね正方形又は矩形であるが、他の形状を用いてもよい。モジュール１４の機能的構成要素は外殻２８に収容されている。例えば、モジュール１４Ａは、液体を貯蔵、加熱、冷却、供給のうち、少なくとも１つ以上をするための装置を含む飲料メーカー、水供給ユニットの少なくともいずれか一方である。モジュール１４Ｂは、包装済みの食事といった食品材料を再加熱するための加熱要素及び温度調節装置を含むオーブン（例えばマイクロ波）である。モジュール１４Ｃは、より低い温度で食品及び飲料を貯蔵するための冷却機構を含む冷蔵庫である。モジュール１４Ｄは、食品、飲料品、調味料、用具などを貯蔵するための貯蔵室である。
【００１５】
モジュール１４は、搭載、取り外しもしくは保守を容易にするための一又は複数の取り外し可能な仕切られた区画又は構成要素を含んでいてもよい。例えば、モジュール１４Ｄは、モジュールの外殻２８を乱す（例えば移動する）ことなく取り外し及び置き換えができる内部コンパートメント３０を含むことができる。さらに、モジュールの機能的構成要素（例えば飲料メーカー１４Ａ）は、ライン交換可能ユニット（ＬＲＵ）として構成することができ、モジュール１４Ａ全体を移動することなく修理又は交換が可能となる。
【００１６】
隣接する個別のモジュール１４を相互接続するための手段が備えられている。例えば、図３〜５は、その外周に沿って形成されるあり継ぎの溝（ダブテールスロット）３４を含む接続レール３２を例示する。溝３４は、モジュール１４に設けられたあり継ぎのリブ３６（分離した部品、又はモジュール１４の外殻２８に一体形成されたもの）を受ける。図５に示すように、接続レール３２は、最高４つから成るモジュール１４の一群に摺動させてかみ合わせることができ、頑丈な接続を成す。更なる接続レール３２が、残りのモジュール１４間に用いられる。このように接続されて、モジュール１４は、使用による曲げ、滑り、捻りなどに対してお互いの支え合いを供給する。このように、上記したように一旦モジュール１４が搭載ラック１２に取付けられて接続レール３２に相互接続されると、モジュール１４を支持するための外部構造体を必要としない。モジュール１４を相互接続するのに効果的ないかなる適切な構造も接続レール３２の代用となることができる。所望により、外部筐体、カバー、又は外装部材を美的観点からモジュール１４の周りに配置してもよい。
【図１】
2010511552.tif 000003
【図２】
2010511552.tif 000004
【図３】
2010511552.tif 000005
【図４】
2010511552.tif 000006
【図５】
2010511552.tif 000007
【国際調査報告】
2010511552.tif 000008
2010511552.tif 000009